(57)【特許請求の範囲】
【請求項１】
各々の被写体光路用の開口部の形成位置を合わせて重合され両者の間に所定の空間を形成している地板及びカバー板と、前記空間内に配置されており往復作動させられて被写体光路内に進退する少なくとも１枚の羽根と、永久磁石回転子を有していて前記空間内に配置されており該回転子の往復回転により前記羽根を往復作動させる電磁アクチュエータと、断面が略コ字状であって二つの対向面を形成している部位の開放端には各々係合部を有しており重合状態にある前記二つの板部材の板面外形形状が略同じところの側方から前記二つの板部材を挟み込むようにして装着しそれらの係合部を前記二つの板部材の外側板面
に設けられた被係合部に各々係合させることによって前記二つの板部材を相互に取付け状態にする少なくとも一つの固定部材と、を備え、前記固定部材が、磁性体材料で製作されており、前記電磁アクチュエータは、前記固定部材の二つの対向面を形成している部位の間に存在するようにして、前記二つの板部材の間に配置されていることを特徴とするカメラ用羽根駆動装置。
【請求項２】
前記固定部材は、自己の弾性によって、前記二つの係合部を、前記二つの板部材の外側板面に設けられた前記被係合部に各々係合させていることを特徴とする請求項１に記載のカメラ用羽根駆動装置。
【請求項３】
前記二つの係合部は、前記二つの板部材の外側板面に向け且つ直線状に形成された突部であり、前記二つの被係合部は、所定の深さで直線状に形成された溝部であることを特徴とする請求項１又は２に記載のカメラ用羽根駆動装置。
【請求項４】
前記固定部材が、金属の磁性体材料で製作されていることを特徴とする請求項１乃至３のいずれかに記載のカメラ用羽根駆動装置。
【請求項５】
前記固定部材の二つの対向面を形成している部位の一方には、少なくとも一つの折曲部が該面から略垂直に形成されており、前記二つの板部材の一方には、前記固定部材の挿入方向に沿って少なくとも一つのスリットが形成されていて、前記固定部材の装着状態においては、該折曲部は、該スリットに挿入されて前記電磁アクチュエータの側方近隣位置に配置されていることを特徴とする請求項４に記載のカメラ用羽根駆動装置。
【発明の詳細な説明】
【技術分野】
【０００１】
本発明は、電磁アクチュエータによって、少なくとも１枚の羽根を往復作動させるようにしたカメラ用羽根駆動装置に関する。
【背景技術】
【０００２】
カメラ用羽根駆動装置としては、シャッタ装置，絞り装置，フィルタ装置，レンズバリア装置が知られているが、各装置の羽根は、最近では、電磁アクチュエータによって往復作動させられるようになっている。また、それらの装置は、単独でユニット化されることもあるが、シャッタ装置，絞り装置，フィルタ装置の場合には、それらの二つ以上をユニット化することもある。そして、下記の特許文献１には、絞り装置だけをユニット化したものが記載されており、特許文献２には、シャッタ装置だけをユニット化したものが記載されている。更に、特許文献３には、シャッタ装置と絞り装置とをユニット化したものが記載されている。
【０００３】
特許文献１〜３の記載からも分かるように、カメラ用羽根駆動装置の基本構成は、地板（基板などということもある）とカバー板（羽根押さえ板，補助地板などということもある）との間に羽根室を構成しており、その羽根室内には、少なくとも１枚の羽根が配置されていて、地板に対して往復作動可能に取り付けられている。また、特許文献１〜３には記載されていないが、地板とカバー板との間には、上記の電磁アクチュエータを配置したものが知られている。更に、カバー板は、特許文献１〜３に記載されているように、羽根の厚さほどではないにしても、地板よりもかなり薄くすることが知られているが、カメラの仕様によっては、合成樹脂製にして比較的厚くすることも知られている。
【０００４】
そして、地板とカバー板とは、種々の固定手段によって、相互に複数個所で取り付けられているが、特許文献１に記載されているカメラ用羽根駆動装置の場合には、二つのねじだけで固定されている。また、特許文献２に記載されているカメラ用羽根駆動装置の場合には、地板に形成された二つのフック部だけで固定されている。更に、特許文献３に記載されているカメラ用羽根駆動装置の場合には、地板に設けられた四つの軸部の先端を、カバー板に設けられた孔に挿入した後、先端を熱溶融すること（熱かしめ）によって固定されている。また、特許文献１〜３には記載されていないが、このほかにも、例えば、１箇所を、地板に形成されたフック部で固定し、他の１箇所を、ねじで固定するようにしたものなどが知られている。
【先行技術文献】
【特許文献】
【０００５】
【特許文献１】特開２００９−３１６６４号公報
【特許文献２】特開２００３−１３１２８６号公報
【特許文献３】特開２００８−２５７０６７号公報
【発明の概要】
【発明が解決しようとする課題】
【０００６】
ところで、特許文献１に記載されているように、地板とカバー板とを、複数個のねじで固定するようにしたものは、確実な固定状態が得られるという利点があるが、ねじ部品がこの種の装置の部品としては高価であり、且つ地板に雌ねじも形成しなければならないことから、コスト上で不利になるという問題点があり、しかも、タッピンねじを用いて、合成樹脂製の地板に対してカバー板を固定した場合には、組立検査で不合格になったときや修理をしたいときに、分解して再組立をすることが不可能になってしまうという問題点があった。
【０００７】
また、特許文献２に記載されているように、地板とカバー板とを、複数のフック部だけで固定するようにしたものは、軽量化，低コスト化という点では極めて有利であるが、フック部の形状や可撓性についてのバラツキなどが原因で、所定の固定状態を得たり、その状態を維持できるようにするのには、十分ではない場合があるという問題点があった。更に、特許文献３に記載されているように、地板とカバー板とを、複数個所で熱かしめにより固定するようにしたものは、軽量化，低コスト化の点では極めて有利であるが、組立検査で不合格になったときや修理をしたいときに、分解して再組立をすることが不可能になってしまうという問題点があった。
【０００８】
本発明は、このような問題点を解決するためになされたものであり、その目的とするところは、地板とカバー板との間に、少なくとも１枚の羽根と、その羽根を往復作動させる電磁アクチュエータとを配置しているカメラ用羽根駆動装置において、低コストであって着脱作業の容易に行える固定部材を用いることにより、地板とカバー板との固定及び分解並びに再組立が簡単に行えるようにした、小型化，低コスト化に適するカメラ用羽根駆動装置を提供することである。
【課題を解決するための手段】
【０００９】
上記の目的を達成するために、本発明のカメラ用羽根駆動装置は、各々の被写体光路用の開口部の形成位置を合わせて重合され両者の間に所定の空間を形成している地板及びカバー板と、前記空間内に配置されており往復作動させられて被写体光路内に進退する少なくとも１枚の羽根と、永久磁石回転子を有していて前記空間内に配置されており該回転子の往復回転により前記羽根を往復作動させる電磁アクチュエータと、断面が略コ字状であって二つの対向面を形成している部位の開放端には各々係合部を有しており重合状態にある前記二つの板部材の板面外形形状が略同じところの側方から前記二つの板部材を挟み込むようにして装着しそれらの係合部を前記二つの板部材の外側板面に設けられた被係合部に各々係合させることによって前記二つの板部材を相互に取付け状態にする少なくとも一つの固定部材と、を備えているようにする。
【００１０】
その場合、前記固定部材は、自己の弾性によって、前記二つの係合部を、前記二つの板部材の外側板面に設けられた前記被係合部に各々係合させているようにすると、好ましい取付け状態が得られ、さらに、前記二つの係合部は、前記二つの板部材の外側板面に向け且つ直線状に形成された突部であり、前記二つの被係合部は、所定の深さで直線状に形成された溝部であるようにすると、一層好ましいものとなる。
【００１１】
また、前記固定部材が、金属の磁性体材料で製作されており、前記電磁アクチュエータは、前記固定部材の二つの対向面を形成している部位の間に存在するようにして、前記二つの板部材の間に配置されているようにすると、電磁アクチュエータの作動が、外部の磁気に影響を受けにくい構成になり、さらに、前記固定部材の二つの対向面を形成している部位の一方には、少なくとも一つの折曲部が該面から略垂直に形成されており、前記二つの板部材の一方には、前記固定部材の挿入方向に沿って少なくとも一つのスリットが形成されていて、前記固定部材の装着状態においては、該折曲部は、該スリットに挿入されて前記電磁アクチュエータの側方近隣位置に配置されているようにすると、その効果は、一層優れたものになる。
【発明の効果】
【００１２】
本発明は、地板とカバー板との間に、少なくとも１枚の羽根と、その羽根を往復作動させる電磁アクチュエータとを配置しているカメラ用羽根駆動装置において、地板とカバー板とを重合状態にしておき、それらの側方から、それらの外側の板面を挟み込むようにして、断面がコ字状をした固定部材を装着するだけで、相互の取付け状態が得られるようにしたものであるから、地板とカバー板との固定及び分解並びに再組立が容易であって、特に、小型のデジタルカメラや、携帯電話やＰＤＡなどの情報端末機器用カメラなどに用いて有効である。
【図面の簡単な説明】
【００１３】
【図１】実施例１の斜視図である。
【図２】実施例１の平面図である。
【図３】実施例１における要部の重なり配置関係を理解し易くして示した断面図である。
【図４】実施例１の分解斜視図である。
【図５】実施例２の斜視図である。
【図６】実施例２の平面図である。
【図７】実施例２の分解斜視図である。
【図８】実施例３の斜視図である。
【図９】実施例３の平面図である。
【図１０】実施例３における要部の重なり配置関係を理解し易くして示した断面図である。
【発明を実施するための最良の形態】
【００１４】
本発明の実施の形態を、図示した三つの実施例によって説明するが、本発明の構成は、それらの実施例の構成だけに限定されるものではない。そのため、その他の構成については、各実施例の説明の中で随時説明することにする。尚、図１〜図４は、実施例１を説明するためのものであり、図５〜図７は、実施例２を説明するためのものであり、図８〜図１０は、実施例３を説明するためのものである。また、各実施例の構成説明に際して用いられる「被写体側」とは、各平面図（図２，図６，図９）の手前側のことをいい、「撮像素子側」とは、各平面図の背面側のことをいうが、周知のように、実施製品としては、各平面図の背面側を被写体側にして配置してもよいことは言うまでもない。
【実施例１】
【００１５】
図１〜図４を用いて実施例１を説明する。本実施例は、１枚のシャッタ羽根を備えたシャッタ装置だけをカメラ用羽根駆動装置としてユニット化したものであって、図１は、そのユニットの斜視図であり、図２は、被写体側から見た平面図であり、図３は、要部の重なり配置関係を理解し易くするようにして示した断面図であり、図４は、分解斜視図である。
【００１６】
そこで先ず、本実施例の構成を説明する。本実施例の地板１は、比較的厚い合成樹脂製の板部材であって、平面外形形状は略長方形をしており、その長方形の長辺の略中央部であって、一方の長辺に片寄ったところに、円形をした被写体光路用の開口部１ａを形成している。また、図４から分かるように、地板１の被写体側の面には、地板１の一方の短辺から開口部１ａに向けて、所定の深さを有する凹部１ｂを長方形に形成しており、その凹部１ｂの底面には、開口部１ａ側の縁の近傍に沿って、断面がＵ字状をした溝部１ｃを直線的に形成している。しかも、その凹部１ｂは、地板１の被写体側の面に形成されているだけではなく、側面にも連続して断面Ｌ字状に形成されている。尚、この地板１は、撮像素子側の面が複雑な形状をしているが、その全てを説明するまでもないので、要部の形状についてだけを後述する。
【００１７】
地板１の撮像素子側の面には、図４に示されている口径規制板２が、後述する手段によって取り付けられており、図２における右下方領域で、地板１との間に、後述する電磁アクチュエータの回転子４などを配置するための空間を形成している。この口径規制板２は、合成樹脂製の薄い板部材であって、上記の開口部１ａと重なるところに円形の開口部２ａを形成しているほか、三つの孔２ｂ，２ｃ，２ｄを形成している。また、この口径規制板２は、図２における左下方部に相当するところに、大きな欠損部２ｅを有していて、その縁を含む外形形成縁に二つの逃げ部２ｆ，２ｇを形成している。更に、この口径規制板２には、円弧状をした長孔２ｈも形成している。
【００１８】
口径規制板２の撮像素子側には、カバー板３が配置されていて、後述する手段によって地板１に取り付けられている。本実施例のカバー板３は、合成樹脂製の比較的厚い板部材であって、平面外形形状が地板１と同じように略長方形をしており、口径規制板２との間に形成した空間には、後述するシャッタ羽根８を配置し、口径規制板２の欠損部２ｅに対応するところでは、地板１との間に、後述する電磁アクチュエータのボビン部材５などを配置するための空間を形成している。
【００１９】
そして、このカバー板３は、図４に明示されているように、上記の開口部１ａ，２ａと重なるところに円形の開口部３ａを形成し、口径規制板２の孔２ｂ，２ｃ，２ｄに対応するところに孔３ｂ，３ｃ，３ｄを形成し、口径規制板２の逃げ部２ｆに対応するところに孔３ｅを形成し、口径規制板２の逃げ部２ｇに対応するところに逃げ部３ｆを形成し、口径規制板２の長孔２ｈに対応するところに長孔３ｇを形成しているほか、二つの逃げ孔３ｈ，３ｉを形成している。更に、このカバー板３の被写体側の面には、口径規制板２との間に、後述のシャッタ羽根８を作動可能に配置するための空間（羽根室）を形成するために、深さの浅い凹部３ｊを形成している。
【００２０】
また、このカバー板３の撮像素子側の面には、一方の短辺側の領域、即ち地板１の凹部１ｂに対応する領域に、凹部３ｋ（図３参照）が形成されている。この凹部３ｋは、平面形状が明示されていないが、地板１の凹部１ｂと同じような形状をしており、その底部には、断面がＵ字形をしている溝部３ｍ（図３参照）が直線状に形成されている。そして、この凹部３ｋの一部は、カバー板３の側面にも連続して断面Ｌ字状に形成されており、その側面での底面は、地板１の側面での凹部１ｂの底面と略同一面になっている。更に、このカバー板３には、開口部３ａを間にして、凹部３ｋとは反対側の外形形状形成縁（他方の短辺に相当する縁）に、その全長にわたって、被フック部３ｎが肉薄に形成されている。
【００２１】
ところで、上記のように、三つの板部材１，２，３は、開口部１ａ，２ａ，３ａを重ねて配置しているが、図２からも分かるように、本実施例の場合には、口径規制板２に形成されている開口部２ａの直径が一番小さく、地板１に形成されている開口部１ａの直径が一番大きい。そのため、本実施例の露光開口は、開口部２ａによって規制されている。このように、口径規制板２の開口部２ａが露光開口を規制している理由は周知であるため、その説明を省略するが、本発明は、このような構成に限定されず、例えば、地板１の開口部１ａの直径を一番小さくし、露光開口を規制するようにしても差し支えない。また、そのように構成した場合には、本実施例の口径規制板２を必ずしも必要としないことがあるが、このことは、以下に説明する実施例２及び３の口径規制板の場合にも言えることである。
【００２２】
そこで次に、地板１の撮像素子側の面の主な形状についてと、そのような形状の地板１に対する、上記の口径規制板２とカバー板３とを含む各構成部材の取付け構成を説明する。先ず、地板１の撮像素子側の面には、図２に示されているように、羽根取付け軸１ｄと、回転子取付け軸１ｅと、二つの位置決めピン１ｆ，１ｇと、二つのストッパピン１ｈ，１ｉとが立設されているほか、カバー板３の被フック部３ｍの形成縁に対応する縁には、その全長にわたって可撓性を有するフック部１ｊが形成されている。このほか、地板１の撮像素子側の面は、主に電磁アクチュエータの構成部材を好適に配置できるようにするために複雑な凹凸形状をしているが、上記したようにそれらについての説明は省略する。
【００２３】
このような形状をした地板１の撮像素子側の面に、各構成部材を組み付けていくが、実際には、地板１を、被写体側の面を下にして、治具に載置しておいて行うことになる。そこで先ず、電磁アクチュエータの回転子４が、地板１の回転子取付け軸１ｅに回転可能に取り付けられている。本実施例の回転子４は、円筒状をしていて径方向に２極に着磁された永久磁石製の本体部４ａと、合成樹脂製の腕部４ｂと、その先端に設けられた出力ピン４ｃとで構成されているが、回転子取付け軸１ｅに対する取付け状態においては、出力ピン４ｃは、撮像素子側に向けて立設されている。
【００２４】
次に、電磁アクチュエータの固定子が取り付けられているが、本実施例の固定子は、図４に示されているようなボビン部材５とヨーク６とで構成されている。それらのうち、ボビン部材５は、四角い筒状をしたボビン部５ａと平板部５ｂとを有していて、ボビン部５ａにはコイル５ｃを巻回している。また、平板部５ｂの撮像素子側の面には二つの端子ピン５ｄ，５ｅ（図２，図３参照）が立設されており、図示していないが、コイル５ｃの両端がそれらに巻き付けられている。そして、その平板部５ｂの撮像素子側の面には、図３に示すように、フレキシブルプリント配線板７が取り付けられていて、コイル５ｃに対して電気的に接続されているが、そのフレキシブルプリント配線板７は、図１に示されているようにして、地板１とカバー板３の間から外部に引き出され、図示していない駆動回路に接続されている。
【００２５】
他方、本実施例のヨーク６は、二つの脚部を有していて、それらの先端を磁極部としている。そして、ボビン部材５とヨーク６とは、ヨーク６の一方の脚部を、平板部５ｂ側からボビン部５ａの中空部に貫通させた状態にしておき、ヨーク６よりも平板部５ｂを撮像素子側にして地板１の所定箇所に載置されている。そのため、その載置状態においては、ヨーク６の二つの磁極部は、回転子４の本体部４ａを間にして、その周面に各々対向させられている。
【００２６】
その後、上記の口径規制板２が取り付けられているが、その取付けに際しては、地板１のフック部１ｊを撓ませた状態にしておき、孔２ｂを羽根取付け軸１ｄに嵌合させ、孔２ｃ，２ｄを位置決めピン１ｆ，１ｇに嵌合させている。それによって、回転子４は、回転子取付け軸１ｅから抜け止めされ、出力ピン４ｃを口径規制板２の円弧状の長孔２ｈに挿通した状態にさせられている。また、このとき、口径規制板２は、逃げ部２ｆ，２ｇの存在によって、ストッパピン１ｉ，１ｈには干渉しないようになっている。
【００２７】
その次に、シャッタ羽根８が取り付けられている。本実施例のシャッタ羽根８は、孔８ａと長孔８ｂを有していて、その孔８ａを羽根取付け軸１ｄに回転可能に嵌合させ、長孔８ｂには、回転子４の出力ピン４ｃを挿入させている。尚、本実施例の場合には、シャッタ羽根を１枚だけ備えているが、本発明は、このような構成に限定されず、例えば特許文献２に記載されているようにして、２枚のシャッタ羽根を備えているようにしても構わない。このことは、以下の実施例２及び３におけるシャッタ羽根の場合も同じである。
【００２８】
次に、上記のカバー板３が取り付けられているが、その取付けに際しては、上記の口径規制板２の場合と同様に、地板１のフック部１ｊを一時的に撓ませた状態にしておいて、取り付けられている。そして、その取付け状態においては、孔３ｂを羽根取付け軸１ｄに嵌合させ、孔３ｃ，３ｄを位置決めピン１ｆ，１ｇに嵌合させ、孔３ｅをストッパピン１ｉに嵌合させている。それによって、回転子４の出力ピン４ｃはカバー板３の円弧状の長孔３ｇに挿通され、ボビン部材５の端子ピン５ｄ，５ｅはカバー板３の逃げ孔３ｈ，３ｉに挿入された状態になり、カバー板３は、逃げ部３ｆの存在によって、ストッパピン１ｈに干渉しないようになっている。
【００２９】
このようにして、各構成部材を地板１に取り付け、地板１とカバー板３とを重合状態にした後、本実施例の場合には、磁性体の金属材料で製作された固定部材９が、地板１とカバー板３とを挟み込むようにして両者を相互に固定している。即ち、固定部材９は、図４から分かるように、断面が略コ字状をしていて、対向している二つの平板部９ａ，９ｂには可撓性が付与されており、それらの開放端には、突部９ｃ，９ｄが直線的に形成されている。
【００３０】
そこで、二つの突部９ｃ，９ｄの間を広げるように平板部９ａ，９ｂを撓ませ、突部９ｃ，９ｄで凹部１ｂ，３ｋの底面を挟んだ状態にしておいてから、固定部材９を開口部１ａ,３ａに向けて移動させると、その移動が、地板１とカバー板３の側面で阻止されたとき、突部９ａ，９ｂが、二つの平板部９ａ，９ｂの復原力によって溝部１ｃ，３ｍに係合し、図３に示されているような地板１とカバー板３との固定状態が得られている。そして、本実施例の場合には、その固定状態においても、平板部９ａ，９ｂの復原力が地板１とカバー板３に作用するようになっている。
【００３１】
このように、本実施例は、地板１とカバー板３との固定が確実に行え、且つ固定及び分解作業が簡単に行えて再組立も可能であり、しかもコスト的にも有利なものとなっている。また、本実施例の場合には、固定部材９が磁性体の金属材料で製作されており、しかも、図２及び図３から分かるように、固定部材９の装着状態においては、二つの平板部９ａ，９ｂが、電磁アクチュエータの構成部材を間接的に覆うように構成されている。これは、情報端末機器などに内蔵したとき、機器内で発生する磁力によって、電磁アクチュエータの性能に影響を受けないようにしているためである。従って、このような点からも、本実施例は極めて有効なものであるが、このような利点は、下記の実施例２及び３においても得られるようになっている。しかしながら、本発明は、このような構成に限定されず、固定部材９を合成樹脂製にしたり、非磁性体の金属製にしたりしても構わない。
【００３２】
尚、本実施例は、特に、携帯電話やＰＤＡなどの情報端末機器用カメラに用いることを意図したものであるため、その実施製品は、非常に小さいものになる。そのため、端末機器への取付けは、機器側の設計仕様により、機器側の部材によって挟み付けるようにして固定されたり、機器側の部材に接着手段によって固定されたりすることがある。それ故、本実施例では、特に機器への取付け部を設けていないが、必要があれば、地板１とカバー板３の少なくとも一方に、そのような取付け部を設けることになる。このことは、下記の実施例２及び３の場合も同じである。また、本実施例は、シャッタ装置のみをユニット化したものであるが、この構成のままでレンズバリア装置のみをユニット化したカメラ用羽根駆動装置とすることも可能になっている。
【００３３】
また、本実施例の場合には、図２及び図３の状態において、固定部材９の平板部９ａ，９ｂが、その復原力を地板１とカバー板３に作用させている場合で説明した。しかしながら、本発明は、そのようにすることに限定されず、図２及び図３の状態においては、固定部材９の平板部９ａ，９ｂが、その復原状態になっていて、地板１とカバー板３に対して押圧力を与えていないようにしても構わない。そのようにしても、突部９ｃ,９ｄが溝部１ｃ，３ｍに係合しているので、人為的な力を加えない限り、その係合がはずれて、固定部材９がずれたり、脱落してしまうようなことはない。このことは、下記の実施例２及び３において備えられている、二つずつの固定部材にも言えることである。
【００３４】
また、本実施例の場合には、地板１とカバー板３に溝部１ｃ，３ｍを形成し、固定部材９に突部９ｃ,９ｄを形成しているが、地板１とカバー板３に、突部９ｃ,９ｄに相当する突部を形成し、固定部材９に、溝部１ｃ，３ｍに相当する溝部を形成するようにしたり、その溝部に代えてスリットを形成するようにしても構わない。しかも、その場合においては、例えば、カバー板３の溝部３ｍはそのままにして、地板１の溝部１ｃだけを突部に代え、固定部材９は突部９ｃだけを溝部に代えても構わない。更に、本実施例の場合には、突部９ｃ,９ｄと溝部１ｃ，３ｍとを直線状に長く形成しているが、本発明は、このような構成に限定されない。例えば、突部９ｃを、球面を有する一つ又は複数の突起部にし、溝部１ｃを、それらに対応した一つ又は複数の穴にしても構わない。そして、これらのことは、下記の実施例２及び３にも言えることである。
【００３５】
また、本実施例の場合には、地板１とカバー板３の外側の板面に、凹部１ｂ，３ｋを形成し、固定部材９の平板部９ａ，９ｂが、それらの凹部１ｂ，３ｋ内に収まるようにしているが、本発明は、このような凹部１ｂ，３ｋを形成することを必須とはしない。しかし、本実施例のように凹部１ｂ，３ｋを形成すると、表面がでこぼこしなくなるので、デジタルカメラ内や情報端末機器内におけるレイアウト上などで有利である。
【００３６】
更に、本実施例の場合には、フック手段（フック部１ｊ，被フック部３ｎ）と固定部材９とで、地板１とカバー板３とを相互に固定している。しかしながら、本実施例のフック手段に変えて、固定部材９に相当する固定部材を同じようにして用いても構わない。更に、固定部材９の形状を工夫する（例えば、図２において、固定部材９の右側約１／３を羽根取付け軸１ｄあたりまで延長させ、その延長部の先端に設けた突部を、地板１の外面に設けた溝部に係合させるようにする）ことによって、一つの固定部材だけで、地板１とカバー板３とを固定状態にするようにしても構わない。
【００３７】
次に、本実施例の作動を、図２を用いて説明する。図２は、撮影待機状態を示したものである。そのため、この状態においては、カメラの電源スイッチはオンになっているが、コイル５ｃには通電されていない。しかしながら、周知のように、このときには、回転子４の本体部４ａの磁極と、その周面に対向しているヨーク６の二つの磁極部との間に、本体部４ａの磁力が作用していて、回転子４は反時計方向へ回転するように付勢されている。それによって、シャッタ羽根８は、時計方向へ回転するように付勢されているが、ストッパピン１ｈによってその回転を阻止され、開口部２ａ（露光開口）の全開状態が維持されている。そのため、図示していない撮像素子には被写体光が当たっており、撮影者は、モニターによって被写体像を観察することが可能になっている。
【００３８】
撮影に際してレリーズボタンを押すと、撮像素子に蓄積されていた電荷が放出されて撮影が開始され、新たな電荷が撮像素子に蓄積されていく。そして、所定の時間が経過すると、露光時間制御回路からの信号によって、コイル５ｃに対して順方向の電流が供給され、回転子４は時計方向へ回転させられる。そのため、シャッタ羽根８は、出力ピン４ｃによって反時計方向へ回転させられ、開口部２ａを閉鎖した後、ストッパピン１ｉに当接して停止する。
【００３９】
その後、撮像素子に蓄積された電荷が、撮像情報として記憶装置に転送されるが、それが終わると、コイル５ｃに対して逆方向の電流が供給される。そのため、回転子４は反時計方向へ回転させられ、出力ピン４ｃによって、シャッタ羽根８を時計方向へ回転させ、開口部２ａの開き作動を行わせる。そして、シャッタ羽根８は、開口部２ａを全開にした直後に、ストッパピン１ｈに当接して停止する。その後、コイル５ｃへの通電を断つと、図２に示された撮影待機状態に復帰したことになる。
【実施例２】
【００４０】
次に、図５〜図７を用いて実施例２を説明する。本実施例は、１枚のシャッタ羽根を備えたシャッタ装置と、１枚の絞り羽根を備えた絞り装置との両方を、カメラ用羽根駆動装置としてユニット化したものであり、図５は、そのユニットの斜視図であり、図６は、被写体側から見た平面図であり、図７は、分解斜視図である。尚、本実施例のシャッタ羽根は、絞り羽根と同じ羽根室に配置されるため、作動上での干渉を防止するため、実施例１のシャッタ羽根８の形状とは若干異なった形状をしている。しかし、実質的には同じと考えても差し支えないため、本実施例のシャッタ羽根と、それを駆動するための電磁アクチュエータの構成部材には、実施例１の場合と同じ符号を付けてある。また、実施例１の説明によって、十分理解することが可能な構成部材及びその部位については、実施例１の場合よりも簡単に説明する。
【００４１】
そこで先ず、本実施例の構成を説明する。本実施例の地板１１は、合成樹脂製の板部材であって、平面外形形状は略正方形をしており、その略中央部に開口部１１ａを形成している。また、図７から分かるように、開口部１１ａの両側に、実施例１における凹部１ｂと同じ形状をした二つの凹部１１ｂ，１１ｃが形成されており、それらの被写体側の底面には、断面Ｕ字状の溝部１１ｄ，１１ｅが直線的に形成されている。更に、地板１１の被写体側の面には、凹部１１ｂの長手方向の両側に切欠き部１１ｆ，１１ｇが形成されていて、一方の切欠き部１１ｆ側の側面には、スリット１１ｈが形成されている。
【００４２】
地板１１の撮像素子側の面には、図７に示されている口径規制板１２が、後述する手段によって取り付けられており、右下方領域と左上方領域は、地板１１との間に、後述する二つの電磁アクチュエータの回転子４，１４を配置するための空間を形成している。また、この口径規制板１２は、上記の開口部１１ａと重なるところに開口部１２ａを形成しているほか、四つの孔１２ｂ，１２ｃ，１２ｄ，１２ｅと、二つの円弧状の長孔１２ｆ，１２ｇと、四つの逃げ部１２ｈ，１２ｉ，１２ｊ，１２ｋと、二つの欠損部１２ｍ，１２ｎとを形成している。
【００４３】
口径規制板１２の撮像素子側には、カバー板１３が配置されていて、後述する手段によって地板１１に取り付けられている。本実施例のカバー板１３は、合成樹脂製の板部材であって、平面外形形状が地板１１と略同じであり、口径規制板１２との間に形成した空間には、後述するシャッタ羽根８と絞り羽根１８とを配置し、口径規制板１２の欠損部１２ｍ，１２ｎに対応するところでは、地板１１との間に、後述する二つの電磁アクチュエータのボビン部材５，１５などを配置するための空間を形成している。
【００４４】
そして、このカバー板１３は、上記の開口部１１ａ，１２ａと重なるところに開口部１３ａを形成し、口径規制板１２の孔１２ｂ，１２ｃ，１２ｄ，１２ｅに対応するところに孔１３ｂ，１３ｃ，１３ｄ，１３ｅを形成し、口径規制板１２の長孔１２ｆ，１２ｇの対応するところに長孔１３ｆ，１３ｇを形成し、口径規制板１２の逃げ部１２ｈ，１２ｉ，１２ｊ，１２ｋに対応するところに逃げ部１３ｈ，１３ｉ，１３ｊ，１３ｋを形成しているほか、四つの逃げ孔１３ｍ，１３ｎ，１３ｐ，１３ｑを形成している。また、このカバー板１３の被写体側の面には、口径規制板１２との間に、後述のシャッタ羽根８と絞り羽根１８とを作動可能に配置するための空間（羽根室）を形成するために、深さの浅い凹部１３ｒを形成している。
【００４５】
また、カバー板１３の撮像素子側の面の形状は明示されていないが、地板１１の凹部１１ｂに対応する領域には、実施例１におけるカバー板３の凹部３ｋの場合と同様にして、地板１１の凹部１１ｂと同じような形状の凹部が形成されており、また、地板１１の凹部１１ｃに対応する領域にも、同じような形状の凹部が形成されていて、それらの凹部には、断面Ｕ字形の溝部が直線状に形成されている。そして、本実施例の場合にも、口径規制板１２の開口部１２ａの直径が、地板１１とカバー板１３の開口部１１ａ，１３ａの直径よりも小さくて、露光開口を規制するようになっている。
【００４６】
次に、地板１１の撮像素子側の面に形成されている主な部位を説明し、それらに取り付けられている構成部材の取付け構成を、取付け順に説明する。先ず、地板１１の撮像素子側の面には、図６に示されているように、二つの羽根取付け軸１１ｉ，１１ｊと、二つの回転子取付け軸１１ｋ，１１ｍと、二つの位置決めピン１１ｎ，１１ｐと、四つのストッパピン１１ｑ，１１ｒ，１１ｓ，１１ｔとが立設されている。
【００４７】
このように形成されている撮像素子側の面に、先ず、二つの電磁アクチュエータが取り付けられているが、それらの電磁アクチュエータの構成は、実施例１で説明した電磁アクチュエータの構成と同じであって、地板１１に対する個々の取付け構成も、実質的に同じである。即ち、二つの電磁アクチュエータの回転子４，１４は、径方向に２極に着磁された永久磁石製の本体部４ａ，１４ａと、合成樹脂製の腕部４ｂ，１４ｂと、それらの腕部４ｂ，１４ｂの先端に設けられた出力ピン４ｃ，１４ｃとからなっていて、それらの本体部４ａ，１４ａに設けられた孔を、地板１１の回転子取付け軸１１ｋ，１１ｍに対して回転可能に嵌合させている。
【００４８】
各々の固定子は、ボビン部材５，１５とヨーク６，１６とで構成されている。それらのうち、ボビン部材５，１５は、ボビン部５ａ，１５ａと平板部５ｂ，１５ｂとを有していて、ボビン部５ａ，１５ａにはコイル５ｃ，１５ｃを巻回している。また、平板部５ｂ，１５ｂの撮像素子側の面には、各々、二つの端子ピン５ｄ，５ｅ，１５ｄ，１５ｅが立設されており、それらにはコイル５ｃ，１５ｃの両端が巻き付けられている。更に、それらの平板部５ｂ，１５ｂにはフレキシブルプリント配線板１７が取り付けられ、コイル５ｃ，１５ｃに電気的に接続されている。
【００４９】
そして、本実施例のフレキシブルプリント配線板１７は、図５に一部が示されているように、二つの片に分岐されていて、一方の片は、地板１１の側面に形成されたスリット１１ｈから内部に導かれ、ボビン部５ａの平板部５ｂに取り付けられており、他方の片は、凹部１１ｂの底面を這って反対側の側面へ引き回され、スリット１１ｈとは略対角位置に形成された図示していないスリットから内部に導かれ、ボビン部１５ａの平板部１５ｂに取り付けられている。
【００５０】
他方、上記のボビン部材５，１５と共に固定子を構成しているヨーク６，１６は、各々、二つの脚部を有していて、それらの先端を磁極部としている。そして、ボビン部材５，１５とヨーク６，１６とは、ヨーク６，１６の一方の脚部をボビン部５ａ，１５ａの中空部に貫通させた状態にしておき、ヨーク６，１６よりも平板部５ｂ，１５ｂを撮像素子側にして地板１１の所定箇所に配置され、各々の二つの磁極部は、回転子４，１４の本体部４ａ，１４ａの周面に対向させられている。
【００５１】
その後、口径規制板１２が取り付けられているが、その取付けに際しては、孔１２ｂ，１２ｃを羽根取付け軸１１ｉ，１１ｊに嵌合させ、孔１２ｄ，１２ｅを位置決めピン１１ｎ，１１ｐに嵌合させている。それにより、回転子４，１４は、回転子取付け軸１１ｋ，１１ｍから抜け止めされ、各々の出力ピン４ｃ，１４ｃを口径規制板１２の円弧状の長孔１２ｆ，１２ｇに挿通した状態にさせられている。また、このとき、口径規制板１２は、逃げ部１２ｈ，１２ｉ，１２ｊ，１２ｋの存在によって、ストッパピン１１ｑ，１１ｒ，１１ｓ，１１ｔに干渉しないようになっている。
【００５２】
次に、シャッタ羽根８と絞り羽根１８が取り付けられている。それらのうち、シャッタ羽根８は、孔８ａと長孔８ｂを有していて、その孔８ａを羽根取付け軸１１ｉに回転可能に嵌合させ、長孔８ｂには、回転子４の出力ピン４ｃを挿入させている。また、絞り羽根１８は、孔１８ａと長孔１８ｂを有しているほか、口径規制板１２の開口部１２ａよりも直径の小さな開口部１８ｃを有していて、孔１８ａを羽根取付け軸１１ｊに回転可能に嵌合させ、長孔１８ｂには、回転子１４の出力ピン１４ｃを挿入させている。
【００５３】
その後、カバー板１３が取り付けられており、孔１３ｂ，１３ｃを羽根取付け軸１１ｉ，１１ｊに嵌合させ、孔１３ｄ，１３ｅを位置決めピン１１ｎ，１１ｐに嵌合させている。それによって、回転子４，１４の出力ピン４ｃ，１４ｃはカバー板１３の円弧状の長孔１３ｆ，１３ｇに挿通され、ボビン部材５，１５の端子ピン５ｄ，５ｅ，１５ｄ，１５ｅはカバー板１３の逃げ孔１３ｍ，１３ｎ，１３ｐ，１３ｑに挿入された状態になり、カバー板１３は、逃げ部１３ｈ，１３ｉ，１３ｊ，１３ｋの存在によって、ストッパピン１１ｑ，１１ｒ，１１ｓ，１１ｔに干渉しないようになっている。
【００５４】
このような地板１１に対する各構成部材の取付け状態において、互いに重合されている地板１１とカバー板１３とは、図５に示されているように、実施例１の固定部材９と全く同じ二つの固定部材１９，２０によって相互に固定されている。即ち、これらの固定部材１９，２０は、磁性体の金属材料で製作されたものであって、固定部材１９は、可撓性を有する二つの平板部１９ａ，１９ｂで地板１１とカバー板１３とを挟み込み、それらの開放端に直線的に形成されている二つの突部１９ｃ，１９ｄを、地板１１の溝部１１ｂとカバー板１３に形成されている図示していない溝部に係合させている。また、固定部材２０は、可撓性を有する二つの平板部２０ａ，２０ｂで地板１１とカバー板１３とを挟み込み、それらの開放端に直線的に形成されている二つの突部２０ｃ，２０ｄを、地板１１の溝部１１ｃとカバー板１３の図示していない溝部に係合させている。
【００５５】
そのため、本実施例の場合にも、このような構成によって、地板１１とカバー板１３との固定が確実に行え、且つ固定及び分解作業が簡単に行えて再組立も可能であり、コスト的にも有利であるという特徴を有している。尚、本実施例では、地板１１とカバー板１３を二つの固定部材１９，２０によって相互に固定しているが、一方の固定部材を、例えば、実施例１で用いているようなフック手段に代えても差し支えない。
【００５６】
そこで次に、本実施例の作動を、図６を用いて簡単に説明する。図６は、撮影待機状態を示したものである。そのため、コイル５ｃ，１５ｃには通電されていない。しかしながら、周知のようにして、回転子４，１４には、反時計方向へ回転する力が与えられている。しかし、シャッタ羽根８がストッパピン１１ｑに接触し、絞り羽根１８がストッパピン１１ｒに接触していることによって、それらの回転が阻止され、開口部１２ａの全開状態が維持されている。そのため、撮影者は、モニターによって被写体像を観察することが可能になっている。
【００５７】
この状態においてレリーズボタンを押すと、その初期段階において、測光回路が被写体光を測定して、被写体光を減光して撮影するか、減光せずに撮影するかが所定の回路によって判断される。そして、被写体光を減光して撮影する場合には、最初に、コイル１５ｃに対して順方向の電流が供給される。そのため、回転子１４は、時計方向へ回転され、出力ピン１４ｃによって絞り羽根１８を反時計方向へ回転させる。それによって、絞り羽根１８は、開口部１２ａに進入してゆき、その開口部１８ｃの中心が、開口部１２ａの中心位置までくると、ストッパピン１１ｔに当接して停止させられる。
【００５８】
その状態になると、実施例１で説明したようにして撮影が行われ、シャッタ羽根８が閉じ作動を行う。そして、シャッタ羽根８が、ストッパピン１１ｓに当接して停止すると、撮像情報が記憶装置に転送される。そして、その転送が終了すると、実施例１で説明したように、コイル５ｃに対して逆方向の電流が供給されることによって、シャッタ羽根８は開き作動を行わされ、ストッパピン１１ｑに当接して停止させられる。他方、コイル１５ｃに対しても逆方向の電流が供給されるため、回転子１４は反時計方向へ回転し、絞り羽根１８をストッパピン１１ｒに当接するまで時計方向へ回転させる。そして、シャッタ羽根８と絞り羽根１８が停止した後、二つのコイル５ｃ，１５ｃに対する通電を断つと、図６に示された撮影待機状態に復帰したことになる。尚、測光回路による測光結果によって、被写体光を減光せずに撮影すると判断されたときの作動は、実質的に実施例１の場合と同じである。そのため、その説明を省略する。
【００５９】
尚、本実施例は、シャッタ装置と絞り装置との両方をユニット化したカメラ用羽根駆動装置であるが、シャッタ羽根８と、それを駆動する電磁アクチュエータを備えなければ、絞り装置だけをユニット化したカメラ用羽根駆動装置になる。また、その場合、開口部１８ｃを覆うようにしてＮＤフィルタシートを取り付け、絞り羽根１８をフィルタ羽根にすれば、フィルタ装置だけをユニット化したカメラ用羽根駆動装置になる。
【００６０】
また、本実施例の構成において、絞り羽根１８に、開口部１８ｃを覆うようにしてＮＤフィルタシートを取り付ければ、シャッタ装置とフィルタ装置とをユニット化したカメラ用羽根駆動装置になるし、また、本実施例のシャッタ羽根８を、口径規制板の開口部１２ａより小さくて絞り羽根１８の開口部１８ｃとは異なる大きさの開口部を形成した絞り羽根にすれば、２枚の絞り羽根を備えたカメラ用羽根駆動装置になる。更に、それらの絞り羽根の少なくとも一方の開口部にＮＤフィルタシートを取り付けることによって、絞り装置とフィルタ装置との両方をユニット化したカメラ用羽根駆動装置としたり、２枚のフィルタ羽根を備えたカメラ用羽根駆動装置としたりすることも可能になる。従って、これらのように構成したカメラ用羽根駆動装置も本発明のカメラ用羽根駆動装置である。
【実施例３】
【００６１】
次に、図８〜図１０を用いて実施例３を説明する。本実施例は、実施例１の場合と同様に、１枚のシャッタ羽根を備えたシャッタ装置だけをカメラ用羽根駆動装置としてユニット化したものであり、図８は、そのユニットの斜視図であり、図９は、被写体側から見た平面図であり、図１０は、実施例３における要部の重なり配置関係を理解し易くするようにして示した断面図である。
【００６２】
尚、本実施例は、互いに重合状態にある地板とカバー板との固定方法が、実施例１の場合とは異なっている。そのため、地板とカバー板の外側の形状が異なっているほか、それらを固定する固定手段の構成が異なっている。しかし、地板とカバー板との間に配置されているシャッタ羽根や、電磁アクチュエータや、口径規制板や、フレキシブルプリント配線板は、実施例１の場合と同じである。そのため、図８〜図１０においては、それらの構成部材と部位に対して、実施例１の場合と同じ符号を付けてあるので、それらについての詳しい説明は省略する。また、図８においては、フレキシブルプリント配線板の図示が省略されている。更に、本実施例の作動は、実施例１の場合と全く同様にして行われるため、その説明も省略する。
【００６３】
そこで、本実施例の構成を説明する。本実施例の地板２１は、合成樹脂製であって、その平面外形形状は実施例１の地板１と略同じ長方形をしており、開口部１ａと略同じところに被写体光路用の開口部２１ａを形成している。そして、本実施例の場合にも、地板２１，口径規制板２，カバー板２２に形成されている開口部２１ａ，２ａ，２２ａのうち、口径規制板２の開口部２ａの直径が一番小さく、露光開口を規制するようになっている。
【００６４】
また、地板２１には、実施例１における地板１の凹部１ｂに相当するところに、その凹部１ｂとは形状の一部が異なる凹部２１ｂを形成しており、開口部２１ａを間にした反対側には、実施例２における地板１１の凹部１１ｃと実質的に同じ形状をした凹部２１ｃを形成している。そして、凹部２１ｂ内には、実施例１における地板１の溝部１ｃに類似した溝部２１ｄ（図９，図１０参照）が形成されており、凹部２１ｃ内には、実施例２における地板１１の溝部１１ｅに相当する図示していない溝部が形成されている。
【００６５】
図９に示されているように、凹部２１ｂの左右端には、溝部２１ｄの長さ方向（水平方向）に直交するようにして、二つのスリット２１ｅ，２１ｆが相互に平行になるようにして形成されている。そして、これらのスリット２１ｅ，２１ｆは、図９においては下側となる地板２１の側面まで形成されている。また、地板２１の撮像素子側の面には、羽根取付け軸２１ｇと、回転子取付け軸２１ｈと、二つの位置決めピン２１ｉ，２１ｊと、二つのストッパピン２１ｋ，２１ｍとが立設されている。
【００６６】
このような形状をしている地板２１の撮像素子側の面に、各構成部材が組み付けられている。先ず、電磁アクチュエータが取り付けられているが、回転子４は、地板２１の回転子取付け軸２１ｈに回転可能に取り付けられ、固定子を構成しているボビン部材５とヨーク６とは、ヨーク６よりもボビン部材５の平板部５ｂを撮像素子側にして地板２１の所定箇所に配置されている。
【００６７】
その後、上記の口径規制板２が取り付けられているが、その取付けに際しては、孔２ｂを羽根取付け軸２１ｇに嵌合させ、孔２ｃ，２ｄを位置決めピン２１ｉ，２１ｊに嵌合させている。それにより、回転子４は、回転子取付け軸２１ｈから抜け止めされ、出力ピン４ｃを口径規制板２の円弧状の長孔２ｈに挿通した状態にさせられている。また、このとき、口径規制板２は、逃げ部２ｆ，２ｇの存在によって、ストッパピン２１ｍ，２１ｋに干渉しないようになっている。そして、その後に、シャッタ羽根８が、その孔８ａを羽根取付け軸２１ｇに回転可能に嵌合させ、長孔８ｂに、回転子４の出力ピン４ｃを挿入させて取り付けられている。
【００６８】
次に、カバー板２２が取り付けられている。本実施例のカバー板２２は、合成樹脂製であって平面外形形状が地板２１と略同じであり、上記した被写体光路用の開口部２２ａを有している。そして、このカバー板２２は、口径規制板２の孔２ｂ，２ｃ，２ｄに対応するところに孔２２ｂ，２２ｃ，２２ｄを形成し、口径規制板２の逃げ部２ｆに対応するところに孔２２ｅを形成し、口径規制板２の逃げ部２ｇに対応するところに逃げ部２２ｆを形成し、口径規制板２の長孔２ｈに対応するところに長孔２２ｇを形成しているほか、二つの逃げ孔２２ｈ，２２ｉを形成している。更に、このカバー板２２の被写体側の面には、口径規制板２との間に、シャッタ羽根８を作動可能に配置するための空間（羽根室）を形成するために、深さの浅い凹部２２ｊ（図１０参照）が形成されている。
【００６９】
そして、このカバー板２２を地板２１に取り付けるに際しては、孔２２ｂを地板２１の羽根取付け軸２１ｇに嵌合させ、孔２２ｃ，２２ｄを地板２１の位置決めピン２１ｉ，２１ｊに嵌合させ、孔２２ｅを地板２１のストッパピン２１ｍに嵌合させている。それによって、回転子４の出力ピン４ｃはカバー板２２の円弧状の長孔２２ｇに挿通され、ボビン部材５の端子ピン５ｄ，５ｅはカバー板２２の逃げ孔２２ｈ，２２ｉに挿入された状態になり、カバー板２２は、逃げ部２２ｆの存在によって、地板２１のストッパピン２１ｋに干渉しないようになっている。
【００７０】
このカバー板２２の撮像素子側の面には、地板２１の凹部２１ｂに対応する領域に、実施例１における地板１の凹部３ｋに相当する凹部２２ｋ（図１０参照）が形成されており、その底部には、実施例１における地板１の溝部３ｍに相当する溝部２２ｍ（図１０参照）が形成されている。更に、そのカバー板２２には、開口部２２ａを間にして、凹部２２ｋとは反対側の領域、即ち地板２１の凹部２１ｃに対応する領域にも、上記の凹部２２ｋと同じ形状をした図示していない凹部が対称的に形成され、上記の溝部２２ｍと同じ形状をした図示していない溝部も形成されている。
【００７１】
このような外形形状をした本実施例のカバー板２２は、上記のようにして地板２１に取り付けられた後、断面が略コ字状をしている二つの固定部材２３，２４によって、地板２１との重合状態を固定されている。即ち、固定部材２３は、磁性体の金属材料で製作されており、可撓性を有する二つの平板部２３ａ，２３ｂで地板２１とカバー板２２とを挟み込み、それらの開放端に直線的に形成されている二つの突部２３ｃ，２３ｄを、地板２１の溝部２１ｄとカバー板２２の溝部２２ｍに係合させている。
【００７２】
また、固定部材２４は、非磁性体の金属材料で製作されており、可撓性を有する二つの平板部で地板２１とカバー板２２とを挟み込み、一方の平板部２４ａの開放端に直線的に形成されている突部２４ｂを、地板２１の凹部２１ｃ内に形成されている図示していない溝部に係合させ、他方の図示していない平板部の開放端に直線的に形成されている図示していない突部を、カバー板２２の図示していない凹部内に形成されている図示していない溝部に係合させている。
【００７３】
ところで、本実施例の固定部材２３は、実施例１の固定部材９とは類似の形状をしていて、同じ機能を有しているが、追加的な形状と機能も有している。即ち、本実施例の固定部材２３は、平板部２３ａが、実施例１における固定部材９の平板部９ａよりも開口部２１ａに向けて長く形成されており、その平板部２３ａには、相互の平面が対向するようにして、二つの折曲部２３ｅ，２３ｆが垂直に形成されている。そして、それらの折曲部２３ｅ，２３ｆは、固定部材２３を装着するときには、地板２１に形成されている上記のスリット２１ｅ，２１ｆに挿入されてゆき、固定部材２３の装着状態においては、電磁アクチュエータの側方近隣位置に配置されるようになっている。
【００７４】
従って、本実施例は、このような固定部材２３を用いたことによって、地板２１とカバー板２２との固定を、実施例１の場合と同等に行えるほか、電磁アクチュエータに対する外部磁気の影響を、実施例１の場合よりも一層効果的に抑制し得るという特徴がある。尚、本実施例の場合には、固定部材２３に、二つの折曲部２３ｅ，２３ｆを形成しているが、必要に応じて、どちらか一方だけにしても構わない。また、本実施例の場合には、電磁アクチュエータを一つだけしか備えていないので、もう一方の固定部材２４を、非磁性体の金属材料で製作しているが、固定部材２３と同様に、磁性体の金属材料で製作しても、合成樹脂材料で製作しても差し支えない。更に、本実施例の折曲部２３ｅ，２３ｆのうちの少なくとも一つを、実施例２における二つの固定部材１９，２０の少なくとも一方に対して設けるようにしてもよいことは言うまでもない。
【符号の説明】
【００７５】
１，１１，２１                地板
１ａ，２ａ，３ａ，１１ａ，１２ａ，１３ａ，１８ｃ，２１ａ  開口部
１ｂ，３ｊ，３ｋ，１１ｂ，１１ｃ，１３ｒ，２１ｂ，２１ｃ，２２ｊ,２２ｋ  凹部
１ｃ，３ｍ，１１ｄ，１１ｅ，２２ｍ    溝部
１ｄ，１１ｉ，１１ｊ，２１ｇ  羽根取付け軸
１ｅ，１１ｋ，１１ｍ，２１ｈ  回転子取付け軸
１ｆ，１ｇ，１１ｎ，１１ｐ，２１ｉ，２１ｊ   位置決めピン
１ｈ，１ｉ，１１ｑ〜１１ｔ，２１ｋ，２１ｍ   ストッパピン
１ｊ                          フック部
２，１２                      口径規制板
２ｂ〜２ｄ，３ｂ〜３ｅ，８ａ，１２ｂ〜１２ｅ，１３ｂ〜１３ｅ，１８ａ，２２ｂ〜２２ｅ  孔
２ｅ，１２ｍ，１２ｎ          欠損部
２ｆ，２ｇ，３ｆ，１２ｈ〜１２ｊ，１２ｋ，２２ｆ   逃げ部
２ｈ，３ｇ，８ｂ，１２ｆ，１２ｇ，１３ｆ，１３ｇ，１８ｂ，２２ｇ   長孔
３，１３，２２                カバー板
３ｈ，３ｉ，１３ｍ，１３ｎ，１３ｐ，１３ｑ，２２ｈ，２２ｉ   逃げ孔
３ｎ                          被フック部
４，１４                      回転子
４ａ，１４ａ                  本体部
４ｂ，１４ｂ                  腕部
４ｃ，１４ｃ                  出力ピン
５，１５                      ボビン部材
５ａ，１５ａ                  ボビン部
５ｂ，９ａ，９ｂ，１５ｂ，１９ａ，１９ｂ，２０ａ，２０ｂ，２３ａ，２３ｂ，２４ａ   平板部
５ｃ，１５ｃ                  コイル
５ｄ，５ｅ，１５ｄ，１５ｅ    端子ピン
６，１６                      ヨーク
７，１７                      フレキシブルプリント配線板
８                            シャッタ羽根
９，１９，２０，２３，２４    固定部材
９ｃ，９ｄ，１９ｃ，１９ｄ，２０ｃ，２０ｄ，２３ｃ，２３ｄ，２４ｂ   突部
１１ｆ，１１ｇ                切欠き部
１１ｈ，２１ｅ，２１ｆ        スリット
１８                          絞り羽根
２３ｅ，２３ｆ                折曲部
【図１】
0005735860.tif 000002
【図２】
0005735860.tif 000003
【図３】
0005735860.tif 000004
【図４】
0005735860.tif 000005
【図５】
0005735860.tif 000006
【図６】
0005735860.tif 000007
【図７】
0005735860.tif 000008
【図８】
0005735860.tif 000009
【図９】
0005735860.tif 000010
【図１０】
0005735860.tif 000011